(57)【特許請求の範囲】
【請求項１】
複数個の、平面視した場合に一方が相対的に長く、他方が相対的に短い形状で、その上部に開口を有する不織布製ポットを用意し、その各々に栽培用土壌を入れ、当該ポットの長手方向にそれぞれオタネニンジンの苗を、その軸が傾斜した状態となるように植えつけ、これを多段式棚に、当該苗の発芽部側が外側となるよう載置したことを特徴とするオタネニンジンの栽培方法。
【請求項２】
屋内で行うものである請求項１に記載のオタネニンジンの栽培方法。
【請求項３】
オタネニンジンの栽培の際に、オタネニンジンの葉に対して１日あたり４時間以上、光合成光量子束密度の平均が１２〜２４μｍｏｌｍ−２ｓ−１の光を照射する請求項１または２に記載のオタネニンジンの栽培方法。
【請求項４】
赤色ＬＥＤおよび青色ＬＥＤからなる光源で光を照射する請求項３に記載のオタネニンジンの栽培方法。
【請求項５】
オタネニンジンの栽培の際に、灌水後の栽培用土壌の含水率を８％以上となるよう灌水する請求項１〜４の何れかの請求項に記載のオタネニンジンの栽培方法。
【請求項６】
栽培用土壌が、土壌母材と元肥を質量比で１０：１〜１：１に混和したものである請求項１〜５の何れかの請求項に記載のオタネニンジンの栽培方法。
【請求項７】
オタネニンジンの苗を、その軸が水平面に対し、１０°〜４５°となるように植えつける請求項１〜６の何れかの請求項に記載のオタネニンジンの栽培方法。
【請求項８】
多段式棚の高さ方向の間隔が、２５〜５０ｃｍである請求項１〜７の何れかの請求項に記載のオタネニンジンの栽培方法。
【請求項９】
植物質および動物質の両方を含む半固形状またはペースト状肥料を１〜３回／年根部先端側に施肥を行う請求項１〜８の何れかの請求項に記載のオタネニンジンの栽培方法。
【請求項１０】
無機成分として少なくともマグネシウムおよびカルシウムを含む液状肥料を１〜３回／年葉面散布を行う請求項１〜９の何れかの請求項に記載のオタネニンジンの栽培方法。
【請求項１１】
前記不織布製ポットが、ポリ乳酸、セルロースまたはポリエステルの不織布製である請求項１〜１０の何れかの請求項に記載のオタネニンジンの栽培方法。
【請求項１２】
オタネニンジンの地上部が存在する期間のうち３０〜６０日間は温度を２３〜２８℃、それ以外は温度を１０〜２０℃に維持し、オタネニンジンの地上部が枯死したら、そこから６０〜１００日間は温度を−３〜５℃に維持した後、オタネニンジンの地上部が新たに形成されるまで温度を１０〜２０℃に維持する請求項１〜１１の何れかの請求項に記載のオタネニンジンの栽培方法。
【請求項１３】
屋内に設置した多段式棚に、
平面視した場合に一方が相対的に長く、他方が相対的に短い形状で、その上部に開口を有する不織布製ポットに栽培用土壌を入れ、当該ポットの長手方向にそれぞれオタネニンジンの苗を、その軸が傾斜した状態となるように植えつけ、前記苗の発芽部側が前記棚の外側となるようにしたオタネニンジン栽培ポットを複数個載置し、
前記多段式棚と多段式棚との間に光源を設置し、
前記光源を制御するための光源制御部を設置し、
屋内温度を制御するための温度制御部を設置し、
前記オタネニンジン栽培ポットの土壌含水率を制御するための灌水量制御部を設置したことを特徴とするオタネニンジンの屋内栽培システム。
【発明の詳細な説明】
【技術分野】
【０００１】
本発明はオタネニンジンの栽培方法に関し、更に詳細には、オタネニンジンを安定に、しかも効率良く屋内等においても育成することのできるオタネニンジンの栽培方法や屋内栽培システムに関する。
【背景技術】
【０００２】
オタネニンジン（Panax ginseng C.A.Meyer）は、主に中国、朝鮮半島で生産され、漢方薬原料の薬用植物として重要な地位を占めている。このオタネニンジンは、健康志向の高まりとともに、漢方薬原料としてのみならず、強壮を目的とした健康食品等にも使用されるようになり、その需要が増大している。【０００３】
オタネニンジンは、日本国内でも、長野県、福島県、島根県などで栽培されているが、その生産量は少なく、国内の需要を満たすためにかなりの量を海外から輸入している。【０００４】
ところで、日本国内でオタネニンジンの生産量が少ないのは、オタネニンジンは病気になりやすいこと、連作障害があること、収穫までに日数がかかること、栽培に多くの手間がかかることなど、多くの課題があるためである。【０００５】
まず、オタネニンジンは立枯病、根腐病、斑点病等の病気が発生しやすく、土壌を通じた伝染や、雨による病害の発生を防ぐ必要があった。【０００６】
また、オタネニンジンは、連作障害があるため、一つの畑で続けて栽培できず、更に、播種から収穫までに４〜６年を要するので、土地利用の面から極めて効率が悪いという問題がある。加えて、同じ畑で連作するためには、一度栽培した後の土壌を消毒する必要があり更に、栽培に適した土壌にするために１年から数年を掛けて、土壌を造成する必要があると言われている（非特許文献１）。【０００７】
更にまた、栽培に当たっては、直射日光を避けるための日覆い屋根の設置や、畑に生える雑草の除草に手間がかかるという問題もある。【０００８】
このような数多くの課題があるため、オタネニンジンの需要の高まりにもかかわらず、その生産量が増加していないのが、日本の現状である。【０００９】
なお、ソーラーパネルの下にニンジン栽培用のポットを置き、ここで栽培することを示唆するような文献（特許文献１中、図２）もあるが、当該文献中では、ポットの素材やその形状についても、またニンジンをどのように植えつけ栽培するかについても全く記述はなく、当然上記オタネニンジン栽培での課題を解決するものとは言えない。【００１０】
また、屋内で人工光源を利用してニンジンを栽培する文献（特許文献２）もあるが、当該文献は単に屋外のように不安定な栽培条件とならないように、屋内で明るさと温度等を制御することが記述されているだけであり、実際に効率良くオタネニンジンが栽培できたかどうかの記述すらないし、その他、ニンジンをどのように植えつけるか等についても全く記述はない。
【先行技術文献】
【特許文献】
【００１１】
【特許文献１】国際公開第ＷＯ２０１３／１０８６２０号パンフレット
【特許文献２】大韓民国公開特許公報第１０−２０１４−００４７９２８号公報
【非特許文献】
【００１２】
【非特許文献１】大隅敏夫、「薬用ニンジン  −つくり方と売り方−」（改訂新版第６刷）、Ｐ３８−４６、社団法人  農山漁村文化協会、昭和６１年７月２０日発行
【発明の概要】
【発明が解決しようとする課題】
【００１３】
従って、本発明は、オタネニンジン栽培での課題を克服し、オタネニンジンを安定に、しかも効率良く栽培することのできる技術の提供をその課題とするものである。
【課題を解決するための手段】
【００１４】
本発明者らは、我が国で消費するオタネニンジンの大部分が外国からの輸入品であることに危機感を抱き、栽培上の上記課題を解決できる効率の良いオタネニンジンの栽培法や栽培システムに関し検討を行った。そしてその結果、従来の発想と大きく異なる材料や方法を採用することにより、屋内で効率良くオタネニンジンを栽培できることを見出し、本発明を完成した。【００１５】
すなわち本発明は、複数個の、平面視した場合に一方が相対的に長く、他方が相対的に短い形状で、その上部に開口を有する不織布製ポットを用意し、その各々に栽培用土壌を入れ、当該ポットの長手方向にそれぞれオタネニンジンの苗を、その軸が傾斜した状態となるように植えつけ、これを多段式棚に、当該苗の発芽部側が外側となるよう載置したことを特徴とするオタネニンジンの栽培方法である。【００１６】
また、本発明は、屋内に設置した多段式棚に、
平面視した場合に一方が相対的に長く、他方が相対的に短い形状で、その上部に開口を有する不織布製ポットに栽培用土壌を入れ、当該ポットの長手方向にそれぞれオタネニンジンの苗を、その軸が傾斜した状態となるように植えつけ、前記苗の発芽部側が前記棚の外側となるようにしたオタネニンジン栽培ポットを複数個載置し、
前記多段式棚と多段式棚との間に光源を設置し、
前記光源を制御するための光源制御部を設置し、
屋内温度を制御するための温度制御部を設置し、
前記オタネニンジン栽培ポットの土壌含水率を制御するための灌水量制御部を設置したことを特徴とするオタネニンジンの屋内栽培システムである。
【発明の効果】
【００１７】
本発明の栽培方法や栽培システムによれば、屋内等において、オタネニンジンを安定に、かつ効率良く栽培することができるため、オタネニンジンの経済性が高い供給方法として有用である。
【図面の簡単な説明】
【００１８】
【図１】本発明の斜め植え栽培（Ａ）と縦植え栽培（Ｂ）での、植えつけ約１００日後の根部重量の増加量を示した図面である。
【図２】本発明の栽培システムに用いられるオタネニンジンを斜め植えした栽培ポットの断面図である。
【図３】本発明の栽培システムの模式図である。
【発明を実施するための形態】
【００１９】
本発明の栽培法において、栽培に使用する不織布製ポット（以下、「栽培ポット」という）は、その平面視形状が、一方が相対的に長く他方が相対的に短いものであるが、その具体例としては、平面視が大略長方形、楕円形、舟形等の形状が挙げられる。また、このポットの上部は開口を有し、その開口は完全に開放されていても、天面が設けられ、その一部が開放されていても良く、また、その形状も特に限定されないが、例えば、長方形または楕円形が好ましい。
【００２０】
この栽培ポットの一例としては、不織布の底面となる部分および２枚の側面となる部分を縫い合わせた、上部が開放された舟形のものが挙げられ、これは、１枚の不織布を、Ｗ字状に折り、その両側を縫製し、これを広げることで、底面および側面を形成すること等により調製できる。また、上部が完全に開放されたもののみならず、側面上部に天面となる不織布を取り付け、その天面の一部を切り欠いて開放できるようにしても良い。
【００２１】
栽培ポットに使用される不織布としては、ポリ乳酸、セルロース、ポリエステル、ポリエチレン、ポリプロピレン、ナイロンおよびそれらの組合せ等の材料で構成された不織布であり、このうち、ポリ乳酸、セルロースおよびポリエステルの材料で構成された不織布が好ましい。このような不織布としては、具体的に、アクスター（東レ製）、エルタス（旭化成製）、ハイボン（シンワ製）、タイベック（旭・デュポン・フラッシュスパン・プロダクツ製）等の市販品を利用することができる。本発明において、このように栽培ポットとして不織布を利用する理由は、これが通水性および土壌に対する通気性に優れており、オタネニンジンのポット栽培に適しているためである。
【００２２】
本発明方法においては、上記栽培ポットに栽培用土壌を入れ、これに軸が傾斜した状態になるように苗を植えつける。
【００２３】
本発明方法で用いる栽培用土壌は、特に限定されないが、例えば、無菌で、養分が含まれず、かつ保水性の良い土壌母材と元肥を混和したものが、簡易かつ安価に得られるため好ましい。
【００２４】
上記栽培用土壌の土壌母材としては、特に限定されないが、例えば、粘土質の火山灰土や火山噴出物の風化物等が挙げられ、好ましくは安価かつ大量に入手可能な赤玉土、鹿沼土等である。
【００２５】
上記土壌母材と組み合わせて使用する元肥としては、特に限定されないが、例えば、腐葉土、油粕等が挙げられる。これら元肥の配合量は、特に限定されないが、例えば、土壌母材と元肥を質量比で１０：１〜１：１に混和したものが好ましい。
【００２６】
また、上記栽培用土壌の保肥性を示す陽イオン交換容量（ＣＥＣ；単位：ｍｅｑ／１００ｇ）は、特に限定されないが、例えば、２０〜６０、特に２５〜４５が好ましい。また、栽培用土壌の通気性は、特に限定されないが、例えば、土壌の空隙率に換算して３０〜４０％程度、特に３４〜３７％であることが好ましい。
【００２７】
更に、上記栽培用土壌のｐＨや電気伝導度は、特に限定されないが、例えば、ｐＨが４．８〜６．４程度で、その電気伝導度（ＥＣ；単位：ｍＳ／ｃｍ）が、０．１〜０．５程度であることが好ましい。
【００２８】
なお、屋外におけるオタネニンジンの栽培は団粒構造が発達した土壌が好ましいとされ（中国特許公開１０３４３０７４３号、中国特許公開１０２５７７８３５号）、栽培前に土壌に滅菌作業や１〜数年かけて大量の緑肥や堆肥等を混ぜ込み十分撹拌する等のオタネニンジン移植前の準備が必要であると言われている。
【００２９】
この団粒構造が発達した土壌は、保肥性、通気性が適度で栽培が良好であるが、このような土壌を得るためには、林地を伐採して新たな畑地を造成するか、一度オタネニンジンを栽培した場所では、動物性を含む肥料を土壌に混和した後に、トウモロコシ等を栽培して土壌に混ぜ込み緑肥にする等、多大な手間と期間をかけて土壌改良しなければならない。
【００３０】
しかし、本発明方法では、上記のような団粒構造が発達した土壌を使用してもよいが、これを使用せずとも保水性の良い土壌母材と元肥を混和したもので、十分にオタネニンジンを栽培することができる。
【００３１】
上記した、栽培用土壌を充填した栽培ポットへのオタネニンジン苗の植え付けは、その苗の軸方向を栽培ポットの長手方向に合わせ、かつ斜めに植え付ける。この植え付け角は、水平方向に対して６０゜以下であり、好ましくは１０〜４５゜であり、更に好ましくは、１５〜３０゜である。なお、この植え付けに当たっては、苗の発芽部分に土壌をかけないようにすることが病気対策の上で好ましい。
【００３２】
植え付け角をこのようにする理由は、縦（水平面に対して９０゜）に植えた場合、オタネニンジン主根全体に細根が生えるが、斜めに植えた場合は、オタネニンジン主根の下側半面にしか生えない為、主根が太くなりやすいためである。
【００３３】
また、栽培ポット中に斜めに植えつける結果、主根は縦に植えた場合と比べ栽培ポットの高さが低くなり、成長する地上部の高さを考慮しても全体の高さは抑制されるので、後述の多段棚の段数を増やすことが可能であり、単位面積あたりの栽培効率が高まるというメリットもある。
【００３４】
上記のようにオタネニンジンを植えつけた栽培ポットは、これを直射日光が遮られ、好ましくは、日中の５０％以上の時間が陰になる場所に設置した多段式棚に、当該苗の発芽部側が外側となるよう載置する。この直射日光が遮られ、かつ日中の５０％以上の時間が陰になる場所とは、例えば、単に金属製または非金属製の屋根を設置した場所の下でも良いが、更に周囲が壁で囲まれた屋内が好ましい。このうち、屋内で栽培する場合は、当該屋内での温度、湿度、土壌中の含水率の管理や、人工光源の利用による照明の管理が可能な屋内であることが更に好ましい。
【００３５】
光源としては、自然光、人工照明等特に制限はないが、光の照射方向は、直接光又は反射光が棚の側面に当たるようにすればよい。棚の側面に光を当てることにより、棚の側方に地上部を伸長させ適切に光が当たるようにすることができる。棚の側面に光を当てる方法としては、棚の配置等を工夫し反射光が側面に当たるように調整しても良いし、棚の側面に向けて人工照明を設置してもよい。
【００３６】
上記人工照明としては、特に限定されないが、例えば、白色電球、蛍光灯、ＬＥＤ等からなる光源を用いることが好ましく、特にオタネニンジンの地下部を肥大させるためには赤色光と青色光を含むＬＥＤまたは赤色ＬＥＤおよび青色ＬＥＤからなる光源を用いることが好ましい。また、赤色ＬＥＤと青色ＬＥＤの比率は特に限定されないが、例えば、８：２〜６：４とすることが好ましく、７：３が特に好ましい。なお、赤色ＬＥＤの波長としては、例えば、発光波長が６５０〜７００ｎｍにピークがあるものが好ましく、６６０ｎｍにピークがあるものがより好ましい。また、青色ＬＥＤの波長としては、例えば、発光波長が４５０〜５００ｎｍにピークがあるものが好ましく、４７０ｎｍにピークがあるものがより好ましい。
【００３７】
また、上記人工照明を用いる場合、オタネニンジンの地下部を肥大させるためには、好ましくはオタネニンジンの葉に対して１日あたり４時間以上、好ましくは８〜１６時間、更に好ましくは６〜１０時間、光合成光量子束密度の平均が１２〜２４μｍｏｌｍ−２ｓ−１となるように光を照射する。葉に対して照射される光合成光量子束密度の平均が上記範囲より少ないとオタネニンジンの地下部の肥大が十分でない場合があり、多いとオタネニンジンが枯れてしまう場合がある。なお、上記光合成光量子束密度の平均は、オタネニンジンの個体ごとに葉付近の複数個所で、光量子量測定器で測定された光合成光量子束密度の平均値である。
【００３８】
また多段式棚は、棚の間の高さが栽培ポットの高さと、生長する地上部が棚上段の影響を受けずに側面から上方向に伸長可能な程度の隙間を設ける必要がある。この各棚の間隔（下段棚板と上段棚板の間隔）は、成長する地上部を妨げない高さであれば特に制約はないが、２５〜５０ｃｍ程度であることが好ましく、３０〜４０ｃｍが好ましい。棚の間の高さが２５ｃｍより狭いと、棚の上下段に設置した栽培ポットから伸長するオタネニンジンの地上部（葉）が棚側面で重なることがあり、下段のオタネニンジンの地上部が十分な光照射を受けられない場合がある。また、この棚板は、スリット等がある網状のものとすることで、より効率的に弱い日光照射を受けることができる。
【００３９】
更に、この多段式棚には、栽培ポットはオタネニンジン苗の発芽部分側を棚板の外側に向けて載置するが、これは、発芽後の地上部、特に葉を棚の側方に伸長させることにより、ある程度遮光された日光や、弱めの人工照明であったとしても十分に受けられるようにする。これにより、多段式棚であっても十分にオタネニンジンを成長させることができる。
【００４０】
また、オタネニンジンは、地上部が直立した場合の高さが１ｍ程度にもなり、通常の栽培法では、ポットの高さも加えると棚一段あたりの高さが１．５ｍ程度必要になる。そして屋内で栽培することを想定した場合、一般的な建物の高さが１階あたり３〜４ｍ、倉庫でも５〜７ｍである事から、棚の段数は、２段多くても３段程度にしかできない。これに対し、本発明のように苗を傾斜した状態に植え付け、地上部を棚の側方に伸長させることにより、棚の間隔を狭くすることができ、多くの段数を設けることが可能になり、面積当たりの栽培効率を高めることができる。
【００４１】
以上のように多段式棚に載置された栽培ポットに対する灌水は、主根に近すぎない位置への滴下またはポット側面からの浸潤により行い、その量は栽培用土壌が湿り気を帯びる程度の量が好ましく、具体的には灌水後の栽培用土壌の含水率を８％以上、好ましくは８〜２０％になるようにすればよく、常に８％以上である必要はない。また、灌水後とは、灌水したすぐ後から２時間以内のことをいう。このような含水率にするためには、例えば、栽培用土壌４Ｌに対し、２０〜４０ｍＬの水を、灌水すればよい。灌水の回数は、２日に一回以上、好ましくは１日１回から２回程度である。
【００４２】
オタネニンジンは乾燥状態が続くと枯れてしまう事があるが、栽培ポット中に滞留する水分が多いと病気が発生しやすいので、この灌水の仕方や栽培用土壌の含水率には細心の注意を払うことが必要である。
【００４３】
一方施肥は、オタネニンジンの苗を植えて萌芽し、地上部に葉が形成され苗の細根が充分に土壌中に廻ったタイミングから、好ましくは苗の根部先端から３〜５ｃｍの位置に、注射器等のペースト状液肥の注入が可能な器具で、１年に１〜数回、好ましくは１〜３回行い、翌年以降も同じタイミングで行うことが好ましい。
【００４４】
この施肥に用いる肥料としては、特に限定されないが、例えば、植物油かす類に由来する原料で作られる植物質肥料および魚、家畜に由来する原料で作られる動物質肥料を含むものが好ましい。この肥料における植物質肥料と動物質肥料の比率は特に限定されないが、例えば、植物質肥料が多い方が好ましく、植物質肥料と動物質肥料の比率は質量比で９：１〜７：３が好ましい。また、これら肥料は土壌中に滞留し徐々に溶け出し、効果が持続するため、半固形状（ゲル状）またはペースト状肥料であることが好ましい。このような肥料の市販品としては、例えば、みんなゆうきペースト（片倉チッカリン製）、有機入りペースト２２２彩姫（サンアグロ製）、セイワペースト（清和肥料工業製）等が挙げられる。なお、半固形状またはペースト状肥料とは、粘度計により測定される２５℃における粘度が１０００〜３００万ｍＰａ・ｓ（ミリパスカル秒）またはファンネル粘度が８〜２０秒(５００ｍｌ／５００ｍｌ)に該当する液肥をいう。
【００４５】
なお、苗の根部先端側に施肥を行うことが好ましい理由は、オタネニンジンの主根に肥料が直接触れることによる肥料焼けを防ぐためであり、主根から離れた部分に施肥することで、土壌中での滞留、拡散により肥料の徐放効果を期待することができる。苗の根部先端の施肥位置は具体的には根先端から３〜５ｃｍ離れた栽培用土壌中である事が好ましい。施肥位置が３ｃｍより近いと根腐れしてしまうことがあり、また、施肥位置が根先端部から５ｃｍよりも遠いと、施肥の効果が上がらない場合がある。
【００４６】
また、土壌中への追肥とともに葉面散布用肥料により追肥することもできる。この葉面散布は、葉表面全体に１年に１〜数回、好ましくは１〜３回行うことが好ましく、翌年以降も同じタイミングで行うことが好ましい。この葉面散布用肥料による追肥と土壌中への追肥をともに行うことで、よりよい結果を得ることができる。この葉面散布用肥料としては特に限定されないが、例えば、無機成分として少なくともマグネシウムおよびカルシウムを含む液状のものが好ましい。このような葉面散布用肥料としては、Ｇヘルパー（武蔵野種苗園製）、パワフルグリーン（片倉チッカリン製）等が挙げられる。
【００４７】
本発明の栽培法では、前記のように、不織布製ポット中に植栽したオタネニンジンを、多段式棚に載置し、栽培を行うのであるが、その際には、光をコントロールする必要がある。すなわち、ニンジンは陰性植物であるので、１日中強い光にあてる事は好ましくなく、必要により寒冷紗等で最適光量に調整することが好ましい。なお、多段式棚栽培にすることで光の当たる角度により棚の影が出来るため、より好ましい環境を保ちやすいが、例えば屋内環境での栽培では、照明ライトのパワーあるいは角度を変える事により照度を変えることも可能である。
【００４８】
また、本発明の栽培法において、屋内の温度は、概ね、一年の平均気温を２０℃程度（夏場は２５℃程度、冬場は１０℃以下）にすればよいが、新芽をより肥大させるには、オタネニンジンの地上部が存在する期間のうち３０〜６０日間は温度を２３〜２８℃、それ以外は温度を１０〜２０℃に維持し、オタネニンジンの地上部が枯死したら、そこから６０〜１００日間は温度を−３〜５℃に維持した後、オタネニンジンの地上部が新たに形成されるまで温度を１０〜２０℃に維持することが好ましい。
【００４９】
更に、本発明の栽培法において、屋内の湿度は、特に限定されないが、例えば、栽培期間を通じて７０〜８０％に維持することが好ましい。
【００５０】
以上説明した本発明の栽培法によれば、オタネニンジンは、個別の栽培ポットにより栽培されるため、病害を生じた栽培ポットを個別に除去でき、土壌を通じた病気の伝染や、雨による病害の発生および広がりを押さえることができる。また、栽培に使用した土壌を入れ替えることで、連作障害の問題はなく同じ場所で何度も栽培することが可能であり、また労働負荷を低減することもできる。更に、屋内で栽培すれば、天候に左右されることなく、効率的かつ安定的に栽培することが可能となる。
【００５１】
また特に、本発明の栽培法は、屋内で栽培する際には、以下に説明する栽培システムを利用することが好ましい。
【００５２】
屋内に、
多段式棚を設置し、この棚に、上記で説明したオタネニンジン栽培ポットを、前記苗の発芽部側が前記棚の外側となるようにして複数個載置し、
前記多段式棚と多段式棚との間に光源を設置し、
前記光源を制御するための光源制御部を設置し、
屋内温度を制御するための温度制御部を設置し、
前記オタネニンジン栽培ポットの土壌含水率を制御するための灌水量制御部を設置する。
【００５３】
上記栽培システムにおいて、多段式棚に載置されるオタネニンジン栽培ポットは、これに植えられたオタネニンジンの発芽部側が前記棚の外側となるように傾斜した状態で植えつけられているため、オタネニンジンが成長すると、その葉は多段式棚から外側に飛び出すようになる。そのため、各段の高さは縦に植えつけた場合よりも低くすることができる。
【００５４】
また、上記栽培システムにおいて、屋内に設置する光源は、多段式棚と多段式棚との間に設置されるが、多段式棚から外側に葉を伸長させることにより、効率良く光を照射することができる。また、光源として人工照明を用いれば、光の照射方向をコントロールすることも容易である。更に光源は、棚２〜４段に１つ、好ましくは３段に１つ程度設置すればよい。また更に、この光源の制御部は、例えば、光量（光合成光量子束密度）や照射時間が手動または自動的にコントロールできるものであればよい。更にまた、通常の室内栽培では各段の天井部に光源を設置する必要があるが、上記栽培システムではその必要もない。
【００５５】
更に、上記栽培システムにおいて、屋内に設置する屋内温度を制御するための温度制御部は、一般的な空調機でよい。
【００５６】
また更に、上記栽培システムにおいて、屋内に設置するオタネニンジン栽培ポットの土壌含水率を制御するための灌水量制御部は、例えば、灌水システムと土壌水分測定システムを備えていればよい。具体的には、オタネニンジン栽培ポットに灌水用の管と土壌水分測定用のセンサーを差し込み、これらで土壌含水率を制御すればよい。
【００５７】
なお、上記栽培システムにおいては、更に、屋内湿度を制御するための湿度制御部、施肥のための制御部、炭酸ガス濃度の制御部等を追加して設置してもよい。
【００５８】
また、上記した制御部は、更にパソコン、サーバー等に接続して自動制御を行ってもよい。
【００５９】
以上説明した本発明の栽培法や栽培システムは、オタネニンジンの効率的かつ安定的な供給に極めて有利なものである。
【実施例】
【００６０】
次に実施例を挙げ、本発明を更に詳しく説明するが、本発明はこれら実施例に何ら制約されるものではない。【００６１】
実  施  例  １
栽培用容器素材の検討：
オタネニンジンの根は、水分が停滞する条件や地温が高い条件下では根腐れを引き起こす。そこで、通気性、排水性に優れ、地温が上昇しない等の条件をクリアする栽培用ポットに最適な容器を次の様に選定した。【００６２】
まず、栽培用容器の候補として、不織布ポット(アクスター：ルートラップポット黒１０Ａ) 、ポリポット(ロンＵＬ１２０) および素焼き６号鉢を準備した。ついで、この中に、栽培用土壌として、赤玉（小）、赤玉（中）および腐葉土を、３：２：１の割合で混合したものを用意した。この栽培用土壌を、各栽培容器に入れ、上からジョーロで灌水し、排水性を確認した。【００６３】
この結果、不織布ポットは、その全面から速やかな排水が確認され排水性は非常に良好であった。ポリポットと比べて通気性、排水性と保水性に優れると思われ、また、素焼き６号鉢と比べ通気性が優れるとともに、コストが安価であり、更に軽量であるため作業性が良好であった。
【００６４】
一方、上記栽培用土壌を各栽培用容器に詰めた後、日除け条件下(遮光率７０％、９０％)で、真夏の地温の上昇を調べた。７月２７日は１３時３０分時点に測定し、７月３１日と８月２日は不織布ポットとポリポットに温度計を設置して１時間ごとに記録を測定し最高温度、最低温度、平均温度のデータを取った。【００６５】
この結果、２０１２年７月２７日(金)１３時３０分時点で遮光率７０％程度の場所における不織布ポット、ポリポット、素焼き６号鉢の地温はそれぞれ２９.３℃、３４.８℃、 ３５.０℃であり、不織布ポットはポリポット、素焼き６号鉢と比べ地温が５.５〜５.７℃低かった。また、７月３１日、遮光率７０％条件下での不織布ポットの地温は、ポリポットと比較し、最高温度が−８.３℃、最低温度が−４.７℃、平均気温が−８.７℃ であった。更に８月２日、遮光率９０％条件下での不織布ポットの地温は、ポリポットと比較し、最高温度が−６.４℃、最低温度が＋１.１℃、平均気温が−２℃であった。【００６６】
これらの結果から不織布ポットは上下左右からの排水性に優れ、地温は素焼きの鉢やポリポットよりも６〜８℃低下した結果が得られたことから、今後のオタネニンジン栽培用ポットとして、不織布ポット(ルートラップポット黒)を選択した。【００６７】
実  施  例  ２
屋内栽培試験
不織布製の市販の縦置き栽培ポット（アクスター  ルートラップポット黒１０ＡΦ１５ｃｍ×３４ｃｍ）と同じ不織布を使用した斜め植えつけ用栽培ポット（短辺１２ｃｍ×長辺３４ｃｍ×高さ１３ｃｍ）を用い、下記の栽培条件により屋内栽培を行った。【００６８】
オタネニンジン苗は、長野県産の２年生苗を使用し、縦置き栽培ポットではその発芽部分に土がかぶらないよう真っ直ぐに植えつけ、斜め植えつけ用栽培ポットでは、苗を発芽部分に土がかぶらず、かつ苗が水平面に対して約４５゜の角度となるよう植えつけた。また、比較として、同じ苗を用い、屋外の圃場で通常の露地栽培を行った。【００６９】
なお、追肥として、萌芽１４日後、４２日後および６４日後の計３回みんなゆうきペースト（片倉チッカリン製；窒素:リン:カリウム＝４：３：３；植物質肥料：動物質肥料＝８：２；ファンネル粘度：１５〜２０）を１株あたり、２ｍＬ、３ｍＬ、３ｍＬ根圏（根部先端から５ｃｍ程度離れた場所にスポイト状の器具で注入し）投与した（追肥を行わない無処理群も設けた）。【００７０】
<屋内栽培における条件設定>
温  度:  空調機を使用し、２０℃前後となるように設定
湿  度:  ７０〜８０％
光    :  植物育成用蛍光灯（FL40SFRP パナソニック製）
日  長:  明期１４時間、暗期１０時間
土  壌:  赤玉土(中) :赤玉土(小) :腐葉土＝２：３：１ 
使 用 苗: 長野県産２年生苗【００７１】
このような栽培で、オタネニンジンはいずれも生育したが、露地栽培のものは６月から斑点病が発生し、これが蔓延したため生育が悪くなった。これに対し、屋内栽培のものは、縦置き、斜め植えつけのいずれも病害の発生は極めて軽微であった。【００７２】
また、無処理群では、萌芽８２日後ころから葉が黄化し始めたのに対し、追肥を行った場合はそのような現象が見られず、ペースト状肥料が有効であることが示された。なお、縦置き栽培ポットの場合、うまく根圏にペースト状肥料が投与できず、主根の周囲に留まってしまうものもあり、根腐れの現象も認められた。【００７３】
実  施  例  ３
斜め植え栽培と縦植え栽培の比較
萌芽後３０日後に葉部に霧吹きで葉面散布剤Ｇヘルパー（武蔵野種苗園製；海藻エキス１００％（Ｎ：０.１０％、Ｐ：０.２０％、Ｋ：１.０２％、Ｃａ：０.１１％  Ｎａ：０.１３％、Ｍｇ：０.０１％、Ｃｕ：１６ｐｐｍ、Ｚｎ：１９ｐｐｍ、Ｆｅ：２５６ｐｐｍ、Ｍｎ：１３ｐｐｍ））を数回噴霧した以外は、実施例２と同じ方法で、斜め植え（Ａ）と縦植え（Ｂ）でのオタネニンジンの２年生苗を栽培し、地上部が枯死した萌芽約１００日後に根部を掘り出し、苗の植付け時の重量との差を比較した。その結果を図１に示す。【００７４】
この結果から、本栽培試験の結果、本発明の斜め植え栽培により、根部重量は、平均で６.６ｇ増加したのに対し、縦植え栽培での根部重量は、３.５７ｇしか増加しなかった。このように、斜め植えでは、縦植えと比較してその根部重量が約１.８５倍も増加する事が確認された。【００７５】
実  施  例  ４
屋内栽培システムによる栽培試験
空調機により温湿度管理が可能な屋内に、棚間隔が２０ｃｍ、３０ｃｍ、３６ｃｍである幅６０ｃｍの多段式棚を複数並べて設置した。実施例２で使用した斜め植え用不織布製栽培ポットに、栽培用土壌を、深さ１０〜１２ｃｍになる様に入れ、オタネニンジンの２年生苗（５ｇ〜２０ｇ）を、重量を測定した後、軸が水平面に対して１５〜３０°になるように、斜めに植えつけ、萌芽部が上部に出るように栽培用土壌で覆い、オタネニンジン苗を移植した。この苗を移植した栽培ポットの断面図を図２に示した。また、多段式棚の間の通路部中央に、光源を棚３段に対して一つとなるように設け、光源の光の主照射方向を下向きとした。この屋内栽培システムの模式図を図３に示した。この屋内栽培システムを用いて以下の条件でオタネニンジン苗を栽培した。【００７６】
く栽培条件>
温  度:  空調機を使用し、一年の平均気温が２０℃程度となるように設
定（夏場２５℃程度、冬場１０℃以下）
湿  度:  ７０〜８０％
光  源:  赤色ＬＥＤ（表面実装型１Ｗ型赤色パワーＬＥＤ  発光波長６
６０ｎｍピーク）と青色ＬＥＤ（表面実装型１Ｗ型青色パワー
ＬＥＤ  発光波長４７０ｎｍピーク）を、赤色ＬＥＤ：青色Ｌ
ＥＤ７：３で設置
日  長:  明期８時間、暗期４時間を２サイクル
土  壌:  赤玉土(中) :赤玉土(小) :腐葉土＝２：３：１ 
使 用 苗: 国産または外国産オタネニンジン２年生または３年生苗【００７７】
なお、苗を移植した栽培ポットは、地上部が棚の外側に伸長するように、萌芽部を外側にして多段式棚に載置し、ポットの側面に自動潅水装置の潅水部が接するように設置し、灌水量を土壌含水率が、表１の範囲となるように調整した。土壌含水率の測定は、ＴＤＲ土壌水分測定器（TDR-251A：Nakamura製）を用いて、灌水１〜２時間後に土壌水分センサーのロッド部分を測定土壌中に根元まで差し込んで行った。測定は１か所を１回行いその測定値を求め、換算表から体積含水率を求めた。【００７８】
また、萌芽後約４か月後に各個体の地上部の小葉毎に光量子量測定器（SE-MQ200：Apogee Instruments社製）を用いて光合成光量子束密度を測定し、個体毎の平均値を求めた。【００７９】
更に、栽培中追肥として、萌芽３０日後にみんなゆうきペーストを１株あたり、５ｍＬを根圏（根部先端から下に約３ｃｍ離れた場所に、注射器を使用して注入）に投与するとともに、萌芽後１〜２か月後の葉が十分展開した時に地上部の葉の表面に、葉面散布剤Ｇヘルパーを散布した。栽培開始後約７か月が経過し地上部が枯死した苗を堀りあげて、その地下部重量を測定した。この測定した地下部重量と、苗の植付け時の地下部重量の差から個体ごとの肥大量（ｇ）を求め、該当する個体の肥大量の平均を算出した。オタネニンジン苗の平均肥大量(ｇ)に対する光合成光量子束密度（ＰＰＦＤ）と土壌含水率の関連性を表１に示した。【００８０】
【表１】
0006465110.tif 000002
【００８１】
本栽培試験の結果、光合成光量子束密度（ＰＰＦＤ）を１２〜２４μｍｏｌｍ−２ｓ−１または灌水直後の含水率を８％以上、好ましくは８〜２０％にすることで地下部の肥大量が多いことがわかった。また、光合成光量子束密度と含水率の両方が上記の範囲だと、更に地下部の肥大量が多いことがわかった。【００８２】
実  施  例  ５
継続栽培試験：
実施例４の方法で１年間栽培を行ったものについて、更に、冬期に５℃以下の温度を３０日間維持したものと、９０日間維持したものについて栽培を継続し、苗の発芽率を比較した。【００８３】
その結果、３０日間低温を維持したものは、発芽率が５％未満であったが、９０日間維持したものは８０％以上発芽し、翌年の栽培を効率良く継続することができた。
【産業上の利用可能性】
【００８４】
以上説明した本発明の栽培法や栽培システムによれば、オタネニンジンの苗を栽培ポットの長手方向に斜めに植え、更に栽培ポットをオタネニンジン苗の発芽部分側を棚板の外側に向けて載置することで、通常の縦植え栽培ポットに比べ、棚の段数を３〜５段程度多くできる。また、斜めに植えつけることで、根部の重量がより増加し、効率的な栽培ができる。更に、多段式棚を使用し、土地を有効に利用しているため、同じ面積の露地植えに比べ、数倍程度高密度で栽培することが可能である。【００８５】
このように、本発明の栽培法や栽培システムによれば、安定かつ効率良くオタネニンジンを栽培することができるので、生薬としてのオタネニンジンの安定供給手段として利用でき、漢方薬の生産等において極めて有利なものである。
【符号の説明】
【００８６】
１    オタネニンジンを斜め植えした栽培ポット
２    栽培ポット  
３    土壌
４    オタネニンジン
１０  オタネニンジンの屋内栽培システム
１１  光源
１２  多段式棚
【図１】
0006465110.tif 000003
【図２】
0006465110.tif 000004
【図３】
0006465110.tif 000005